(57)【要約】【課題】詰替用の液体又は粉末を装着容器に詰め替える場合に、こぼれを防止し、詰替作業を簡便にする漏斗を提供する。【解決手段】漏斗１Ａが、上端に大径開口部３、下端に小径開口部４を備えた中空多角錐形状を有する。この漏斗１Ａは、平坦に折り畳むことができ、大径開口部３及び小径開口部４を広げた状態で装着容器２０の口部２１に挿入した場合に、装着容器２０と３点以上の複数点で接触し、装着容器２０と漏斗１Ａとの間に空気置換経路を確保できる。【選択図】図１
2009286413.tif 000002
【特許請求の範囲】
【請求項１】
上端に大径開口部、下端に小径開口部を備えた中空多角錐形状の漏斗であって、平坦に折り畳むことができ、該漏斗を、大径開口部及び小径開口部を広げた状態で装着容器の口部に挿入した場合に、装着容器と漏斗とが３点以上の複数点で接触し、装着容器と漏斗との間に空気置換経路を確保したことを特徴とする詰替用漏斗。
【請求項２】
少なくとも１つの側面がそれに対向する側面に対して上方に延設されている請求項１記載の漏斗。
【請求項３】
側面の側辺を折線として２枚重ねに折りたたみ可能である請求項１又は２記載の漏斗。
【請求項４】
側方から見た開き角が４５°以下である請求項１〜３のいずれかに記載の漏斗。
【請求項５】
小径開口部に複数のスリットが形成されている請求項１〜４のいずれかに記載の漏斗。
【請求項６】
漏斗を装着容器の口部に挿入した場合に、装着容器の口部に掛止する掛止片が突出している請求項１〜５のいずれかに記載の漏斗。
【請求項７】
請求項１〜６のいずれかに記載の漏斗が詰替用液体又は粉末が充填されている袋に添付されている漏斗付詰替用製品。
【請求項８】
装着容器の口部に、請求項１〜６のいずれかに記載の漏斗を挿入し、漏斗を介して装着容器に詰替用液体又は粉末を注入する詰替方法。
【発明の詳細な説明】
【技術分野】
【０００１】
本発明は、漏斗及び漏斗を添付した詰替用製品に関する。
【背景技術】
【０００２】
プラスチック製、ガラス製等の剛性のある容器に充填して使用する液体や粉末を、詰替用として、袋に充填して販売することが広く行われている。
このような詰替用製品の販売は、省資源等の点で好ましいとされている。
【０００３】
しかしながら、詰替用の液体や粉末を充填する剛性のある容器は、一般に口部の径が狭く、詰替用の液体や粉末を充填する際に、それらが周囲にこぼれやすいという問題がある。
【０００４】
この問題に対しては、従来より漏斗が使用されており、持ち運びや収容に便利な組立式漏斗も提案されている（特許文献１）。
【０００５】
【特許文献１】特開2004-277014号公報
【発明の開示】
【発明が解決しようとする課題】
【０００６】
特許文献１に記載されている組立式漏斗は、三角形片を連設させた本体部を係止突片と係止スリットとの係合により中空多角錐形状に組み立てて使用するものである。この組立式漏斗は、本来的に香水等の少量の液体を元々の容器から小分け用の容器に詰め替えるときに使用するもので、数ｍＬの液体の詰替には便利に使用することができる。しかしながら、例えば、液体洗剤等の詰替のように、数百ｍＬ以上の液体を詰め替える場合には、係合の緩みや遊びによって、係合部から液体が洩れたり、係合部が外れたりする場合があり、使用しにくいという問題があった。
【０００７】
そこで、本発明は、数百ｍＬ以上の液体を詰め替える場合でも、確実に液洩れなく詰め替えることができ、簡便に使用することのできる詰替用漏斗を提供することを目的とする。
【課題を解決するための手段】
【０００８】
上述の目的を達成するため、本発明は、上端に大径開口部、下端に小径開口部を備えた中空多角錐形状の漏斗であって、平坦に折り畳むことができ、該漏斗を、大径開口部及び小径開口部を広げた状態で装着容器の口部に挿入した場合に、装着容器と漏斗とが３点以上の複数点で接触し、装着容器と漏斗との間に空気置換経路を確保したことを特徴とする詰め替え用漏斗を提供する。
【０００９】
また、この漏斗が詰替用液体又は粉末が充填されている袋に添付されている漏斗付詰替用製品を提供する。
【００１０】
さらに、装着容器の口部に、この漏斗を挿入し、漏斗を介して装着容器に詰替用液体又は粉末を注入する詰替方法を提供する。
【発明の効果】
【００１１】
本発明の漏斗は、中空多角錐形状であって、平坦に折り畳むことができるので、この漏斗を平坦に折り畳んだ状態とすることにより、詰替用液体又は詰替用粉末といった詰替用製品に簡便に添付することができる。しかも、大径開口部及び小径開口部を広げるだけで、容易に安定的に漏斗として使用することができ、漏斗から液漏れなどが生じることもない。
【００１２】
また、この漏斗は、中空多角錐形状であることにより、装着容器の口部に３点以上の複数点で接触する。したがって、装着容器と漏斗との間に空気置換経路を確保することができ、詰替を迅速に行うことができる。
【発明を実施するための最良の形態】
【００１３】
以下、本発明を、図面を参照しつつ具体的に説明する。なお、各図中、同一符号は同一又は同等の構成要素を表している。
【００１４】
図１は、本発明の一実施例の漏斗１Ａの使用方法の説明図であり、図２は、その漏斗１Ａを折り畳んだ状態の平面図、図３は漏斗１Ａの展開図である。
【００１５】
この漏斗１Ａは、図３に示すように、概略扇形の薄板状材料を破線で示す折線Ｌで折り、のりしろ２ｘをその反対側の縁部２ｙと貼着することにより中空多角錐形状に形成したもので、６つの略三角形の側面２ａ、２ｂ、２ｃ、２ｄ、２ｅ、２ｆと、上端の大径開口部３と、下端の小径開口部４とを備えている。これらの６つの側面２ａ、２ｂ、２ｃ、２ｄ、２ｅ、２ｆの開き角θ0 は等しく形成されている。
【００１６】
ここで、薄板状材料は、漏斗１Ａで詰め替える内容物の種類によって適宜選択することができ、例えば、液体洗剤、液体漂白剤、柔軟仕上げ剤等の液体製品に対しては、プラスチックシート、表面に樹脂フィルムを貼合せたり耐水印刷やクレーコートした板紙等を使用することができる。
【００１７】
このように漏斗１Ａを薄板状材料を用いて中空多角錐形状に形成することにより、詰替用溶液又は詰替用粉末といった詰替用内容物４０に対応する特定の装着容器２０の口部２１に漏斗１Ａを挿入した場合には、装着容器２０と漏斗１Ａとが３点以上の複数点で接触し、装着容器２０の口部２１の周壁２２と漏斗１Ａとの間には間隙があき、空気置換経路が確保される。このため、この漏斗１Ａを用いて、詰替用の液体又は粉末といった内容物４０を装着容器２０内に注入する際に、漏斗１Ａに内容物４０が一度に大量に吐出されても、装着容器２０内の空気置換が速やかに行われるので、漏斗１Ａから内容物４０があふれることを防止し、詰替を迅速に行うことができる。そこで、本発明は、このような詰替用液体又は粉末の詰替方法も包含する。
【００１８】
また、この漏斗１Ａは、図２に示すように、側面の側辺を折線として２枚重ねに平坦に折り畳むことができる。したがって、後述するように、詰替用内容物４０が充填されている袋３０等の詰替用製品に簡便に添付することができる。
【００１９】
さらに、この漏斗１Ａでは、側面２ａ、２ｆがそれに対向する側面２ｃ、２ｄに対して上方に延設され、この側面２ａ、２ｆの上部縁辺２ａ1 、２ｆ1 が、それと対向する側面２ｄ、２ｃの上部縁辺２ｄ1 、２ｃ1 と高さ方向に重なることなく上方に突出している。そして、上方に延設された側面２ａ、２ｆに隣接する側面２ｂ、２ｅの上部縁辺２ｂ1 、２ｅ1 は、上方に延設された側面２ａ、２ｆの上部縁辺２ａ1 、２ｆ1 とそれに対向する側面２ｃ、２ｄの上部縁辺２ｃ1 、２ｄ1 とを滑らかに繋いでいる。この場合、上方に延設された側面２ａ、２ｆの上部縁辺２ａ1 、２ｆ1 と、それに対向する側面２ｃ、２ｄの上部縁辺２ｃ1 、２ｄ1 との高さ方向の差Ｈは、１０〜５０ｍｍとすることが好ましい。
【００２０】
これにより、装着容器２０の上向きに開口した口部２１に漏斗１Ａを挿入し、袋３０から吐出させた内容物４０を、漏斗１Ａを介して装着容器２０に注入する際に、その内容物４０を上方に延設された側面２ａ、２ｆに当てるように吐出させることができるので、内容物４０を周囲にこぼすことなく容易に装着容器２０内に注入することができる。また、２枚重ねに平坦に畳んだ状態にある漏斗１Ａを、側面２ａ、２ｆの上方に突出した部分に指をかけることにより、容易に中空多角錐形状に広げることができる。
【００２１】
この漏斗１Ａは、それを側方から見た開き角θが４５°以下、好ましくは２０〜４０°である。これにより、漏斗１Ａを装着容器２０の口部２１に深く挿入することができるので、漏斗１Ａの起立状態が安定し、漏斗１Ａは、手で支えなくても自立することができる。したがって、内容物４０の詰替時に、漏斗１Ａを装着容器２０の口部２１に起立させてから袋３０を開封することができ、また、袋３０を両手で支えることが可能となる。このため、袋３０が内容物４０の吐出に伴い容易にその外形が変形するパウチ等の軟質のものであっても、詰替作業が簡便になる。そして、８００〜２５００ｍＬの比較的大容量の詰替でも一般人が容易に行えるようになる。
【００２２】
これに対して開き角θが広すぎると装着容器２０の口部２１に挿入した漏斗の起立状態が不安定となるので、装着容器２０の口部２１で漏斗１Ａを起立させておくには、漏斗１Ａを手で支えることが必要となる。反対に、開き角θが小さすぎると、大径開口部３の開きが小さくなり、内容物４０をこぼさずに漏斗１Ａの大径開口部３内に吐出させることが困難となる。
【００２３】
さらに、漏斗１Ａには、この漏斗１Ａを装着容器２０の口部２１に挿入した場合に、装着容器２０の内部において、口部２１の周壁２２の基部に掛止する掛止片５が突出している。これにより、漏斗１Ａを装着容器２０の口部２１に挿入したときの漏斗１Ａの起立状態を一層安定化させることができる。
【００２４】
一方、漏斗１Ａの小径開口部４には、複数のスリット６が開口している。これにより、図１に示したように、装着容器２０内で内容物４０が小径開口部４から下方に吐出されると共に、スリット６からも吐出され、装着容器２０の内壁をつたわせて内容物４０を充填していくことが可能となる。したがって、装着容器２０内に注出する内容物４０が衣料用液体洗剤等のように、界面活性剤を含有し、泡立ちやすいものであっても泡立ちを最小限に抑えることができる。よって、所期の詰替量を装着容器２０内に注入する前に装着容器２０から泡があふれてくる等の問題をおこすことがない。
【００２５】
本発明の漏斗は、種々の態様をとることができる。
【００２６】
例えば、図４に示す漏斗１Ｂのように、上述の漏斗１Ａにおいて、掛止片５を、上方に延設していない側面２ｃ、２ｄ側に形成してもよい。これにより、内容物の詰替時に、吐出された内容物４０によって漏斗１Ｂの側面２ａ、２ｆが押され、矢印ｐのように漏斗１Ｂを回転させる力が加わった場合に、漏斗１Ｂを装着容器の口部２１に安定して起立させておくことができる。
【００２７】
図５の漏斗１Ｃは、それを装着容器２０の口部２１に挿入した場合に、掛止片５が装着容器外から装着容器の口部２１の周壁２２の上端部に掛止するようにしたものである。これによっても、内容物の詰替時に、吐出された内容物４０によって漏斗１Ｃの側面２ａ、２ｆが押され、矢印ｐのように漏斗１Ｃを回転させる力が加わった場合に、漏斗１Ｃを装着容器の口部２１に安定して起立させておくことができる。
【００２８】
図６の漏斗１Ｄは、上述の漏斗１Ａにおいて、掛止片５と小径開口部４側のスリット６を省略したものである。装着容器２０の口部２１の周壁２２の高さが十分にあるなどにより、漏斗１Ｄを装着容器２０の口部２１に挿入した場合に、漏斗１Ｄの起立状態が安定する場合には、掛止片５を省略してもよく、また詰替時の内容物の泡立ちが問題にならない場合には、スリット６を省略してもよい。
【００２９】
図７の漏斗１Ｅは、図６の漏斗１Ｄにおいて、各側面の高さを揃えたものである。
【００３０】
図８の漏斗１Ｆは、上述の漏斗１Ａにおいて、大径開口部３の縁部の高さをなだらかに変化させたものである。
【００３１】
図９の漏斗１Ｇは、上述の漏斗１Ａの一つの側面を省略し、５つの側面２ａ、２ｂ、２ｃ、２ｄ、２ｅから形成したものである。この漏斗１Ｇは図１０（ａ）、（ｂ）に示すように、平坦に折り畳むために、図１１に示す展開図のように、側面２ａ内に折れ線Ｌａを有している。なお、平坦に折り畳む態様としては、図１０（ａ）の態様が、折り畳んだ漏斗のいずれにおいても面の重なりが２枚であり、より薄く平坦である点から好ましい。
【００３２】
このように、本発明の漏斗においては、それを平坦に折り畳めるように折線が配置されていれば、漏斗を構成する側面の数は偶数、奇数のいずれでもよく、また、漏斗を構成する複数の側面の開き角θ0 は必ずしも等しくなくてもよい。ただし、詰替用の内容物４０を充填した袋３０に漏斗を添付して漏斗付詰替用製品とする場合のその製品の取り扱い性の点から、漏斗を構成する面の数は偶数とし、各側面の開き角を等しくし、漏斗を２枚重ねで平坦に折りたためるようにすることが好ましい。
【００３３】
上述した漏斗の種々の変形態様は、適宜組み合わせることができる。
【００３４】
また、本発明は、本発明の漏斗が、詰替用液体又は粉末が充填されている袋に添付されている漏斗付詰替用製品を包含する。この場合、漏斗の添付態様には特に制限はなく、例えば、図１２に示すように、平坦に折りたたんだ漏斗１を、詰替用の液体又は粉末４０が充填された袋３０に剥離可能に貼着してもよく、平坦に折りたたんだ漏斗１を、詰替用の液体又は粉末４０が充填された袋３０と共に一つのパッケージに収容してもよい。
【産業上の利用可能性】
【００３５】
本発明の漏斗は、液体又は粉末洗剤、漂白剤、柔軟仕上げ剤等の種々の液体又は粉末の詰替に簡便に使用できる漏斗として有用であり、詰替用の内容物が充填された詰替用製品の利用促進にも役立つものとなる。
【図面の簡単な説明】
【００３６】
【図１】実施例の漏斗の使用方法の説明図である。
【図２】実施例の漏斗を折り畳んだ状態の平面図である。
【図３】実施例の漏斗の展開図である。
【図４】実施例の漏斗の使用状態の説明図である。
【図５】実施例の漏斗の使用状態の説明図である。
【図６】実施例の漏斗の斜視図である。
【図７】実施例の漏斗の斜視図である。
【図８】実施例の漏斗の斜視図である。
【図９】実施例の漏斗の斜視図である。
【図１０】実施例の漏斗を折り畳んだ状態の平面図である。
【図１１】実施例の漏斗の展開図である。
【図１２】漏斗付詰替用製品の模式図である。
【符号の説明】
【００３７】
１、１Ａ、１Ｂ、１Ｃ、１Ｄ、１Ｅ、１Ｆ、１Ｇ    漏斗
２ａ、２ｂ、２ｃ、２ｄ、２ｅ、２ｆ    側面
３      大径開口部
４      小径開口部
５      掛止片
６      スリット
２０      装着容器
２１      口部
２２      周壁
３０      袋
４０      内容物、液体又は粉体
【図１】
2009286413.tif 000003
【図２】
2009286413.tif 000004
【図３】
2009286413.tif 000005
【図４】
2009286413.tif 000006
【図５】
2009286413.tif 000007
【図６】
2009286413.tif 000008
【図７】
2009286413.tif 000009
【図８】
2009286413.tif 000010
【図９】
2009286413.tif 000011
【図１０】
2009286413.tif 000012
【図１１】
2009286413.tif 000013
【図１２】
2009286413.tif 000014